(57)【要約】【課題】反射傘に対する無電極放電灯の取付け位置を工夫することで、反射傘から外部に漏れる雑音を抑制できるようにした無電極放電灯用照明器具を提供する。【解決手段】バルブ２の内部に形成されたキャビティ４内に、フェライトコア９と、このフェライトコア９の外周囲に巻き付けられた誘導コイル１０とでなるカプラ１５が設けられた無電極放電灯１と、この無電極放電灯１を取付ける金属製反射傘１３とでなる無電極放電灯用照明器具であって、誘導コイル１０の高圧線１０ａは、フェライトコア９の軸方向に延在するように配線され、無電極放電灯１は、誘導コイル１０の高圧線１０ａが反射傘１３側に向くように、反射傘１３に取付けられるようにした。【選択図】図３
2009205816.tif 000002
【特許請求の範囲】
【請求項１】
放電ガスが封入されたガラス球状のバルブの内部にキャビティが形成され、このキャビティ内に、フェライトコアと、このフェライトコアの外周囲に巻き付けられた誘導コイルとでなるカプラが設けられた無電極放電灯と、この無電極放電灯を取付ける金属製反射傘とでなる無電極放電灯用照明器具であって、
前記誘導コイルの高圧線は、フェライトコアの軸方向に延在するように配線され、前記無電極放電灯は、誘導コイルの高圧線が反射傘側に向くように、反射傘に取付けられるようにしたことを特徴とする無電極放電灯用照明器具。
【請求項２】
前記反射傘の無電極放電灯の取付け部と、無電極放電灯の被取付け部とに、誘導コイルの高圧線が反射傘側に向くように、無電極放電灯を反射傘に取付けられるように位置合わせする位置合わせ部がそれぞれ形成されていることを特徴とする請求項１に記載の無電極放電灯用照明器具。
【発明の詳細な説明】
【技術分野】
【０００１】
本発明は、放電ガスが封入されたバルブに、誘導コイルで発生する誘導電界を作用させることでプラズマを発生させ、水銀原子から発生する紫外線がバルブ内面の蛍光体で可視光に変換されるようになった無電極放電灯用照明器具に関する。
【背景技術】
【０００２】
従来、放電ガスが封入されたガラス球状のバルブの内部にキャビティが形成され、このキャビティ内に、フェライトコアと、このフェライトコアの外周囲に巻き付けられた誘導コイルとでなるカプラが設けられた無電極放電灯がある（特許文献１参照）。この特許文献１の誘導コイルの高圧線は、フェライトコアの軸方向に延在するように配線されている。
【０００３】
このような無電極放電灯では、誘導コイルがキャビティ内にあり、かつフェライトコアを有することから、輻射雑音を低減することが可能である。
【特許文献１】特開２００４−８７１４９号公報
【発明の開示】
【発明が解決しようとする課題】
【０００４】
しかしながら、無電極放電灯を金属製反射傘に取付けた無電極放電灯用照明器具では、フェライトコアの軸方向に延在する高圧線からは、浮遊容量を介して雑音を発生している。この雑音が反射傘の開放面から外部（室内）に漏れやすいので、この雑音を充分に抑制できないという問題がある。
【０００５】
本発明は、前記問題を解消するためになされたもので、反射傘に対する無電極放電灯の取付け位置を工夫することで、反射傘から外部に漏れる雑音を抑制できるようにした無電極放電灯用照明器具を提供することを目的とするものである。
【課題を解決するための手段】
【０００６】
前記課題を解決するために、本発明は、放電ガスが封入されたガラス球状のバルブの内部にキャビティが形成され、このキャビティ内に、フェライトコアと、このフェライトコアの外周囲に巻き付けられた誘導コイルとでなるカプラが設けられた無電極放電灯と、この無電極放電灯を取付ける金属製反射傘とでなる無電極放電灯用照明器具であって、前記誘導コイルの高圧線は、フェライトコアの軸方向に延在するように配線され、前記無電極放電灯は、誘導コイルの高圧線が反射傘側に向くように、反射傘に取付けられるようにしたことを特徴とする無電極放電灯用照明器具を提供するものである。
【０００７】
請求項２のように、請求項１に記載の無電極放電灯用照明器具において、前記反射傘の無電極放電灯の取付け部と、無電極放電灯の被取付け部とに、誘導コイルの高圧線が反射傘側に向くように、無電極放電灯を反射傘に取付けられるように位置合わせする位置合わせ部がそれぞれ形成されていることが好ましい。
【発明の効果】
【０００８】
本発明によれば、無電極放電灯の誘導コイルの高圧線がフェライトコアの軸方向に延在するように配線されたものにおいて、誘導コイルの高圧線が反射傘側に向くように、無電極放電灯を反射傘に取付けるようにしたものである。これにより、誘導コイルの高圧線と反射傘（グランド側）との距離を短くできるので、浮遊容量による雑音伝播を抑制できるようになる。
【０００９】
請求項２によれば、反射傘に対して無電極放電灯を位置合わせして取付けることができるから、誘導コイルの高圧線が反射傘側に向くように確実に取付けることができる。
【発明を実施するための最良の形態】
【００１０】
以下、本発明を実施するための最良の形態について、図面を参照しながら詳細に説明する。
【００１１】
図１は無電極放電灯１の断面図である。ガラス球状のバルブ２の基部２ａは、円筒状の基台３の上部に嵌め込んで固定されている。バルブ２の内部中心にはキャビティ４が形成されている。このキャブティ４には、後述する放熱部材７の中空部を通って、底部分から開口部分に向かって延在する排気細管２５が一体形成されている。
【００１２】
バルブ２の内面およびキャビティ４のバルブ２内の周面には、保護膜５ａと蛍光体膜５ｂとが形成されている。バルブ２内には、放電ガスとして、アルゴンが４０Ｐａで封入されている。
【００１３】
キャビティ４内には、基台３の内底部に下端部が支持されて、キャビティ４内の上方に延在する筒状の放熱部材７が配置されている。
【００１４】
キャビティ４内において、放熱部材７の外周にはフェライトコア９が嵌め込まれ、このフェライトコア９の外周囲には誘導コイル１０が巻き付けられている。フェライトコア９は、誘導コイル１０に通電する高周波電流が数百ＫＨｚという低い周波数であるために必要とするものである。このフェライトコア９と誘導コイル１０とはカプラ１５を構成する。
【００１５】
基台３の内底部には、高周波電源１１が設けられ、この高周波電源１１から誘導コイル１０に高周波電流が供給されるようになる。
【００１６】
フェライトコア９は、図２および図３に詳細に示すように、軸方向に切断されることで円周方向に複数個（本例では２個）に分割されている。この分割されたフェライトコア９ａ，９ｂにより、次述する反射傘１３側の方向に隙間９ｃが形成されるようになる。
【００１７】
そして、誘導コイル１０の高圧線１０ａは、フェライトコア９の軸方向に延在するように配線され、この高圧線１０ａは、フェライトコア９ａ，９ｂの隙間９ｃ内に配線されている。
【００１８】
図３に示したように、無電極放電灯１を天井に設置した金属製反射傘１３に横向きで取付ける場合を説明する。この場合には、誘導コイル１０の高圧線１０ａが配線された隙間９ｃが反射傘１３側に向くように（開放面１３ａの反対側）、反射傘１３に取付けるようにする。この結果、誘導コイル１０の高圧線１０ａが反射傘１３側に向くようになる。
【００１９】
また、反射傘１３の無電極放電灯１の取付け部と、無電極放電灯１の基台（被取付け部）３とに、誘導コイル１０の高圧線１０ａが反射傘１３側に向くように、無電極放電灯１を反射傘１３に取付けられるようにする位置合わせ部３ａ，３ｂが形成されている。
【００２０】
なお、反射傘１３の無電極放電灯１の取付け部には、基台３の位置合わせ部３ａ，３ｂが嵌まり込むような凹状の位置合わせ部を形成すれば良い。
【００２１】
前記のように無電極放電灯用照明器具を構成すれば、無電極放電灯１の誘導コイル１０の高圧線１０ａがフェライトコア９の軸方向に延在するように配線されたものにおいて、誘導コイル１０の高圧線１０ａが反射傘１３側に向くように、無電極放電灯１を反射傘１３に取付けるようにしたものである。
【００２２】
これにより、誘導コイル１０の高圧線１０ａと反射傘（グランド側）１３との距離を短くできるので、浮遊容量による雑音伝播を抑制できるようになる。
【００２３】
また、反射傘１３に対して無電極放電灯１を位置合わせして取付けることができるから、誘導コイル１０の高圧線１０ａが反射傘１３側に向くように確実に取付けることができる。
【００２４】
前記実施形態は、無電極放電灯１を天井に設置した反射傘１３に横向きで取付ける場合であったが、無電極放電灯１を壁に設置した反射傘１３に縦向きで取付ける場合であっても同様である。
【図面の簡単な説明】
【００２５】
【図１】本発明に係る無電極放電灯の断面図である。
【図２】フェライトコアと誘導コイルの斜視図である。
【図３】無電極放電灯を取付けた反射傘の側面断面図である。
【符号の説明】
【００２６】
１      無電極放電灯
２      バルブ
３      基台
３ａ，３ｂ  位置合わせ部
４      キャビティ
９（９ａ，９ｂ）  フェライトコア
９ｃ    隙間
１０    誘導コイル
１０ａ  高圧線
１３    金属製反射傘
１５    カプラ
【図１】
2009205816.tif 000003
【図２】
2009205816.tif 000004
【図３】
2009205816.tif 000005